(57)【要約】【課題】本発明は、本発明は、指紋走査装置と組み合わせることで、撮影操作を便利にする撮影制御システム及びその制御方法を提供することを目的とする。【解決手段】本発明の撮影制御システムは、電子装置で実行され、前記電子装置は、撮影ユニット及び指紋識別装置を備える。また、前記撮影制御システムは、前記指紋識別装置から受信した信号を検知する検知モジュールと、受信された信号が押圧型の信号である場合、前記撮影ユニットを制御して自動で焦準し、焦準した後自動で撮影する制御モジュールを備える。【選択図】図１
2015019376.tif 000002
【特許請求の範囲】
【請求項１】
電子装置で実行され、前記電子装置は、撮影ユニット及び指紋識別装置を備える撮影制御システムにおいて、
前記指紋識別装置から受信した信号を検知する検知モジュールと、
受信された信号が押圧型の信号である場合、前記撮影ユニットを制御して自動で焦準し、焦準した後自動で撮影する制御モジュールを備えることを特徴とする撮影制御システム。
【請求項２】
受信された信号が左方／右方のスライド信号と判断された場合、前記制御モジュールは、前記左方／右方のスライド信号によって、前記撮影ユニットの対応する焦点距離まで調節するよう制御し、受信された信号が上方／下方のスライド信号と判断した場合、前記制御モジュールは、前記上方／下方のスライド信号によって、前記撮影ユニットが対応する露出値まで調節するよう制御することを特徴とする請求項１に記載の撮影制御システム。
【請求項３】
前記指紋識別装置は、押圧型の指紋識別器、スライド型の指紋識別器を備え、前記押圧型の指紋識別器は、指紋押圧信号を取得し、前記スライド型の指紋識別器は、指紋スライド信号を取得し、前記指紋スライド信号は、上方、下方、左方及び右方のスライド信号を備えることを特徴とする請求項２に記載の撮影制御システム。
【請求項４】
受信された信号が左方のスライド信号である場合、前記制御モジュールは、予備値の焦点距離を増加し、受信された信号が右方のスライド信号である場合、前記制御モジュールは、予備値の焦点距離を減少することを特徴とする請求項２に記載の撮影制御システム。
【請求項５】
受信された信号が上方のスライド信号と確定された場合、制御モジュールは、予備の露出値を増加し、受信された信号が下方のスライド信号と確定された場合、制御モジュールは、予備の露出値を減少することを特徴とする請求項２に記載の撮影制御システム。
【請求項６】
電子装置で実行され、前記電子装置は、撮影ユニット及び指紋識別装置を備える撮影制御方法において、
前記指紋識別装置から受信した信号を検知する検知ステップと、
受信された信号が押圧型の信号である場合、前記撮影ユニットを制御して自動で焦準し、焦準した後自動で撮影する制御ステップを備えることを特徴とする撮影制御方法。
【発明の詳細な説明】
【技術分野】
【０００１】
本発明は、撮影方法に関し、特に撮影制御システム及びその制御方法に関するものである。
【背景技術】
【０００２】
現在、デジタルカメラ及びスマートフォンは、一般に広く普及しており、近年このデジタルカメラ或いはスマートフォンを利用して、自分撮りを行うユーザが増えている。ユーザは、スマートフォンによって自分撮りをする際、指でスマートフォンのシャッターボタンをタッチしたり、焦点距離を調節したい場合は、フォーカスボタンをスライドさせる。しかし、このような撮影操作は不便であり、焦点距離にも誤差が生じ、手振れも起こり易い。また、デジタルカメラも同様に、自分撮りをする際、指でシャッターボタンを押して撮影したり、或いはフォーカスボタンを利用して焦点距離を調節するので不便である。
【発明の概要】
【発明が解決しようとする課題】
【０００３】
以上の問題点に鑑みて、本発明は、指紋走査装置と組み合わせることで、撮影操作を便利にする撮影制御システム及びその制御方法を提供することを目的とする。
【課題を解決するための手段】
【０００４】
上記の課題を解決するために、本発明の撮影制御システムは、電子装置で実行され、前記電子装置は、撮影ユニット及び指紋識別装置を備える。また、前記撮影制御システムは、前記指紋識別装置から受信した信号を検知する検知モジュールと、受信された信号が押圧型の信号である場合、前記撮影ユニットを制御して自動で焦準し、焦準した後自動で撮影する制御モジュールと、を備える。
【０００５】
上記の課題を解決するために、本発明の撮影制御方法は、電子装置で実行され、前記電子装置は、撮影ユニット及び指紋識別装置を備える。また、前記撮影制御方法は、前記指紋識別装置から受信した信号を検知する検知ステップと、受信された信号が押圧型の信号である場合、前記撮影ユニットを制御して自動で焦準し、焦準した後自動で撮影する制御ステップを備える。
【発明の効果】
【０００６】
本発明の撮影制御システム及び制御方法は、指紋走査装置と組み合わせるため、自分撮り及び焦点距離と露光の操作に便利である。また、ユーザは、容易に電子装置を制御して自分撮りできるとともに、自分撮りする際、指でシャッターボタンを押すことによって、電子装置が動くのを防止することができる。
【図面の簡単な説明】
【０００７】
【図１】本発明に係る撮影制御システムの構造図である。
【図２】本発明に係る撮影制御システムの機能モジュール図である。
【図３】本発明に係る撮影制御方法の流れ図である。
【発明を実施するための形態】
【０００８】
以下、図面に基づいて、本発明に係る撮影制御システム及びその制御方法について詳細に説明する。図１に示したように、撮影制御システム１０は、電子装置１内で実行される。電子装置１は、スマートフォン、デジタルカメラ、タブレットパソコン等である。電子装置１は、撮影ユニット１１、指紋識別装置１２、表示スクリーン１３、記憶装置１４及びプロセッサ１５を備える。電子装置１は、撮影ユニット１１を利用して、周辺の環境或いは人物をキャッチし、且つ写真を撮影する。撮影ユニット１１が撮影した画像は、表示スクリーン１３に表示される。
【０００９】
撮影ユニット１１は、焦点距離調節モジュール１１０、露出調節モジュール１１１、焦準モジュール１１２及び撮影モジュール１１３を備える。焦点距離調節モジュール１１０は、撮影ユニット１１が撮影した焦点距離を調節する。即ち、予備値の焦点距離（例えば、５ミリメートル）を増加或いは減少することに用いられる。露出調節モジュール１１１は、撮影ユニット１１が撮影した写真の露出値（ＥＶ）を調節する。即ち、予備の露出値（例えば、１ＥＶ）を増加或いは減少することに用いられる。焦準モジュール１１２は、自動で焦準することに用いられ、表示スクリーン１３に表示された画像を更にはっきり見えるようにする。撮影モジュール１１３は、撮影ユニット１１の撮影を制御することに用いられる。
【００１０】
指紋識別装置１２は、押圧型の指紋識別器（図示せず）及びスライド型の指紋識別器（図示せず）を備える。押圧型の指紋識別器は、指紋押圧信号を取得し、電子装置１の後壁に位置する。スライド型の指紋識別器は、指紋スライド信号、例えば、上方、下方、左方及び右方のスライド信号を取得し、電子装置１の側面に位置する。
【００１１】
図２に示したように、記憶装置１４は、電子装置１のデータを保存する。例えば、撮影ユニット１１が撮影した写真を保存する。プロセッサ１５は、撮影制御システム１０中の各プログラムセグメントであって、撮影制御システム１０の各機能モジュールの機能を実現することができる。
【００１２】
撮影制御システム１０は、検出モジュール１００、判断モジュール１０３及び制御モジュール１０４を備える。各モジュールは、プログラムコード或いは指令の形式によって、電子装置１の記憶装置１４内或いは電子装置１の操作システム（図示せず）内に保存され、且つ電子装置１のプロセッサ１５によって実行される。
【００１３】
検出モジュール１００は、撮影ユニット１１が作動した際、指紋識別装置１２が受信した信号を検知することに用いられる。
【００１４】
判断モジュール１０２は、受信された信号が押圧型の信号かどうかを判断することに用いられる。この判断モジュール１０２は、指紋識別装置１２内の押圧型の指紋識別器を介して、押圧の指紋信号を取得して、受信された信号が押圧信号であることを確定する。
【００１５】
判断モジュール１０２は、受信された信号が押圧型の信号ではないと判断した場合、さらに受信された信号が左方／右方のスライド信号かどうかを判断し、指紋識別装置１２中のスライド型の指紋識別器を介して、左方／右方のスライド信号を取得して、受信された信号が左方／右方のスライド信号であることを確定する。
【００１６】
受信された信号が左方／右方のスライド信号ではないと判断した場合、判断モジュール１０２は、受信された信号が上方／下方のスライド信号かどうかを判断し、指紋識別装置１２中のスライド型の指紋識別器を介して、上方／下方のスライド信号を取得して、受信された信号が上方／下方のスライド信号であることを確定する。
【００１７】
受信された信号が押圧型の信号と確定された場合、制御モジュール１０４は、撮影ユニット１１の焦準モジュール１１２を制御して自動で焦準し、且つ撮影ユニット１１の撮影モジュール１１３を制御して焦準した後、撮影する。撮影された写真は、記憶装置１４内の予備の保存位置に保存される。
【００１８】
受信された信号が左方／右方のスライド信号と確定された場合、制御モジュール１０４は、左方／右方のスライド信号によって、撮影ユニット１１の焦点距離調節モジュール１１０を制御して、対応する焦点距離を調節する。例えば、受信された信号が左方のスライド信号である場合、予備値の焦点距離（例えば、５ミリメートル）を増加し、受信された信号が右方のスライド信号である場合、予備値の焦点距離（例えば、５ミリメートル）を減少する。
【００１９】
受信された信号が上方／下方のスライド信号と確定された場合、制御モジュール１０４は、上方／下方のスライド信号によって、撮影ユニット１１の露出調節モジュール１１１を制御して、対応する露出値を調節する。例えば、受信された信号が上方のスライド信号と確定された場合、予備の露出値（例えば、１ＥＶ）を増加し、受信された信号が下方のスライド信号と確定された場合、予備の露出値（例えば、１ＥＶ）を減少する。
【００２０】
図３に示したように、本発明の撮影制御方法は、以下のステップ（Ｓ１１０〜Ｓ１１６）を備えるが、該ステップの数及びステップの順番は限定されず、他の実施形態において、ステップの数の増加、削除、或いはステップの順番を変更してもよい。
【００２１】
ステップＳ１１０において、検出モジュール１００は、撮影ユニット１１が作動した際、指紋識別装置１２が受信した信号を検知する。
【００２２】
ステップＳ１１１において、判断モジュール１０２は、受信された信号が押圧型の信号かどうかを判断する。受信された信号が押圧型の信号と確定された場合、ステップ１１６に進む。
【００２３】
ステップＳ１１２において、判断モジュール１０２は、受信された信号が左方／右方のスライド信号かどうかを判断する。受信された信号が左方／右方のスライド信号と確定された場合、ステップ１１３に進む。
【００２４】
ステップＳ１１３において、制御モジュール１０４は、撮影ユニット１１の焦点距離調節モジュール１１０を制御して、対応する焦点距離を調節し、且つステップ１１１に戻る。
【００２５】
ステップＳ１１４において、判断モジュール１０２は、受信された信号が上方／下方のスライド信号かどうかを判断する。受信された信号が上方／下方のスライド信号ではない場合、ステップ１１１に戻り、受信された信号が上方／下方のスライド信号と確定された場合、ステップ１１５に進む。
【００２６】
ステップＳ１１５において、制御モジュール１０４は、上方／下方のスライド信号によって、撮影ユニット１１の露出調節モジュール１１１を制御して、対応する露出値を制御し、且つステップ１１１に戻る。
【００２７】
ステップＳ１１６において、制御モジュール１０４は、撮影ユニット１１の焦準モジュール１１２を制御して自動で焦準を調節し、且つ撮影ユニット１１の撮影モジュール１１３を制御して焦準した後、撮影する。
【符号の説明】
【００２８】
１  電子装置
１０  制御システム
１１  撮影ユニット
１２  指紋識別装置
１３  表示スクリーン
１４  記憶装置
１５  プロセッサ
１１０  焦点距離調節モジュール
１１１  露出調節モジュール
１１２  焦準モジュール
１１３  撮影モジュール
１００  検出モジュール
１０２  判断モジュール
１０４  制御モジュール
【図１】
2015019376.tif 000003
【図２】
2015019376.tif 000004
【図３】
2015019376.tif 000005